(57)【要約】      （修正有）【課題】キャスターの取付操作が簡単で、手際よくできる構造を提供する。【解決手段】キャスター１を、方形または略方形とした座板１１の一辺側の両角部を切り欠いて挿入部１２を形成し、前記座板１１の一辺と向かい合う他辺側の両角部に止孔１３を設けたものとし、キャスター取付板Ｂに、前記キャスター１の座板１１の挿入部１２と合致する挿入溝２１を形成した止板２を止着し、前記止板２の挿入溝２１に前記キャスター１の座板１１の挿入部１２を挿入し、この座板１１の止孔１３にねじ類Ｓを通して、キャスター１をキャスター取付板Ｂにねじ止めしたものとしている。【選択図】図１
0003176008.tif 000002
【実用新案登録請求の範囲】
【請求項１】
キャスター（１）を、方形または略方形とした座板（１１）の一辺側の両角部を切り欠いて挿入部（１２）を形成し、前記座板（１１）の一辺と向かい合う他辺側の両角部に止孔（１３）を設けたものとし、キャスター取付板（Ｂ）に、前記キャスター（１）の座板（１１）の挿入部（１２）と合致する挿入溝（２１）を形成した止板（２）を止着し、前記止板（２）の挿入溝（２１）に前記キャスター（１）の座板（１１）の挿入部（１２）を挿入し、この座板（１１）の止孔（１３）にねじ類（Ｓ）を通して、キャスター（１）をキャスター取付板（Ｂ）にねじ止めしたことを特徴とするキャスターの取付構造。
【請求項２】
前記挿入部（１２）は、座板（１１）の一辺側の両角部の止孔（１３）を設ける領域を、略１／４円状（Ｃ）に切り欠いて形成したことを特徴とする請求項１記載のキャスターの取付構造。
【請求項３】
前記止板（２）の挿入溝（２１）の両側に止孔（２２）を設けたことを特徴とする請求項１又は２記載のキャスターの取付構造。
【請求項４】
前記止板（２）の止孔（２２）の位置は、前記キャスター（１）の座板（１１）の一辺側の両角部の止孔（１３）を設ける位置に対応するようにしたことを特徴とする請求項３記載のキャスターの取付構造。
【請求項５】
前記止板（２）の挿入溝（２１）は、前記キャスター（１）の座板（１１）の厚さと略同一の溝深さを有するものとしており、挿入口縁（２１ａ）形状を凹円弧形状にしており、外縁（２１ｂ）形状を前記座板（１１）の挿入部（１２）の外周形状と略同一形状にし、内縁（２１ｃ）形状を前記座板（１１）の略１／４円状（Ｃ）に切り欠いた部分に沿う円弧形状にしたことを特徴とする請求項１〜４の何れかに記載のキャスターの取付構造。
【考案の詳細な説明】
【技術分野】
【０００１】
この考案は、台車や移動家具等の底部に取り付けられるキャスターの取付構造に関するものである。
【背景技術】
【０００２】
従来、台車や移動家具等の底部に取り付けられるキャスターとしては、例えば図６に示したように、座板５１の下方に旋回自在として取付けられたキャスターフレーム５２に、車輪５３を車軸５４により回転自在に取り付けたものとしている。前記座板５１は、略方形としており、その四隅に、台車や移動家具等の底部のキャスター取付板Ｂにボルトやビスで止めるための止孔５５を設けたものとしている。前記キャスターフレーム５２は、略倒Ｕ字状に形成され、上壁体５２ａの両側部から垂下させた両側壁体５２ｂの下部に車軸５４の軸孔５６を設けたものとしている。前記車輪５３は、中心部に車軸５４の貫通孔５７を設けたものとしている（特許文献１）。
【０００３】
このようなキャスターを台車や移動家具等の底部に取り付けるには、図７に示したように、そのキャスター取付板Ｂに予め設けられたボルト穴Ｈに、座板５１の四隅の止孔５５からボルト５８を通して、このボルト５８をボルト穴Ｈにねじ込んだり、また図示していないが、座板５１の四隅の止孔５５からビスを通して、そのビスをキャスター取付板Ｂに直接、ねじ込んだりしていた。
【０００４】
そして、台車や移動家具等の長年の使用等によって、車輪５３がすり減ったり、キャスターが故障したりした場合には、古いキャスターを取り外して、新しいものに取り替えるようにしている。
【先行技術文献】
【特許文献】
【０００５】
【特許文献１】特開２００４−２４３９４３号公報
【考案の概要】
【考案が解決しようとする課題】
【０００６】
ところが、上記従来のキャスターの取付構造では、キャスターが台車や移動家具等の底部に取り付けられているため、そのキャスターを取り外すには、台車や移動家具等を持ち上げ、その持ち上げた状態でボルトやビスを緩め、その底部のキャスター取付板Ｂから古いキャスターを取り外していた。
【０００７】
そして、新しいキャスターを取り付けるには、台車や移動家具等を持ち上げたまま、そのキャスターの座板５１の裏面に接着剤を塗ったり、両面接着テープを貼って、台車や移動家具等の底部のキャスター取付板Ｂにその新しいキャスターを仮止めしてから、ボルトやビスを締め付けていた。
【０００８】
また、新しいキャスターを取り付けるのに、接着剤や両面接着テープを用いない場合には、台車や移動家具等を持ち上げたまま、その新しいキャスターを片手で持ち、締付け工具をもう片手で持って、ボルトやビスを締め付けていた。
【０００９】
しかしながら、上記従来のキャスターでは、台車や移動家具等の底部に取り付けるには、その台車や移動家具等の底部のキャスター取付板Ｂに仮止めするために、接着剤や両面接着テープを用いたり、また接着剤や両面接着テープを用いない場合には、キャスターが落下するので片手で持つ必要があり、さらに台車や移動家具等の底部から取り外す場合も、取り付ける場合も、４本のボルトやビスを緩めたり、ねじ込んだりしなければならず、その操作が大変面倒で、手際よくできないという問題点を有していた。
【００１０】
そこで、この考案は、上記従来の問題点を解決するものであり、台車や移動家具等の底部のキャスター取付板Ｂに仮止めする場合に接着剤や両面接着テープを用いなくてもよく、またキャスターを片手で持つ必要もなく、さらに台車や移動家具等の底部から取り外す場合も、取り付ける場合も、２本のボルトやビス等のねじ類を緩めたり、ねじ込んだりするだけでよく、その操作が簡単で、手際よくできるキャスターの取付構造を提供することを目的としてなされたものである。
【課題を解決するための手段】
【００１１】
そのため、この考案のキャスターの取付構造は、キャスター１を、方形または略方形とした座板１１の一辺側の両角部を切り欠いて挿入部１２を形成し、前記座板１１の一辺と向かい合う他辺側の両角部に止孔１３を設けたものとし、キャスター取付板Ｂに、前記キャスター１の座板１１の挿入部１２と合致する挿入溝２１を形成した止板２を止着し、前記止板２の挿入溝２１に前記キャスター１の座板１１の挿入部１２を挿入し、この座板１１の止孔１３にねじ類Ｓを通して、キャスター１をキャスター取付板Ｂにねじ止めしたものとしている。
【００１２】
そして、この考案のキャスターの取付構造において、前記挿入部１２は、座板１１の一辺側の両角部の止孔１３を設ける領域を、略１／４円状Ｃに切り欠いて形成したものとしている。
【００１３】
さらに、この考案のキャスターの取付構造において、前記止板２の挿入溝２１の両側に止孔２２を設けたものとしている。
【００１４】
また、この考案のキャスターの取付構造において、前記止板２の止孔２２の位置は、前記キャスター１の座板１１の一辺側の両角部の止孔１３を設ける位置に対応するようにしている。
【００１５】
さらに、この考案のキャスターの取付構造において、前記止板２の挿入溝２１は、前記キャスター１の座板１１の厚さと略同一の溝深さを有するものとしており、挿入口縁２１ａ形状を凹円弧形状にしており、外縁２１ｂ形状を前記座板１１の挿入部１２の外周形状と略同一形状にし、内縁２１ｃ形状を前記座板１１の略１／４円状Ｃに切り欠いた部分に沿う円弧形状にしたものとしている。
【考案の効果】
【００１６】
この考案のキャスターの取付構造は、以上に述べたように構成されており、台車や移動家具等の底部のキャスター取付板Ｂに仮止めする場合にも接着剤や両面接着テープが不要であり、台車や移動家具等の底部から取り外す場合も、取り付ける場合も、２本のボルトやビス等のねじ類を緩めたり、ねじ込んだりするだけでよく、その操作が簡単で、手際よくできるものとなった。
【図面の簡単な説明】
【００１７】
【図１】この考案のキャスターの取付構造の分解斜視図である。
【図２】この考案のキャスターの取付構造の斜視図である。
【図３】この考案のキャスターの取付構造の取り付け操作前の底面図である。
【図４】この考案のキャスターの取付構造の取り付け操作後の底面図である。
【図５】この考案のキャスターの取付構造の図４中のＡ−Ａ線による断面図である。
【図６】従来のキャスターの分解斜視図である。
【図７】従来のキャスターの取付構造を示す分解斜視図である。
【考案を実施するための形態】
【００１８】
以下、この考案のキャスターの取付構造を実施するための形態を、図面に基づいて詳細に説明する。
【００１９】
この考案のキャスターの取付構造は、図に示したように、キャスター１を、方形または略方形とした座板１１の一辺側の両角部を切り欠いて挿入部１２を形成し、前記座板１１の一辺と向かい合う他辺側の両角部に止孔１３を設けたものとし、台車や移動家具等の底部のキャスター取付板Ｂに、前記キャスター１の座板１１の挿入部１２と合致する挿入溝２１を形成した止板２を止着したものとしている。そして、前記止板２の挿入溝２１に前記キャスター１の座板１１の挿入部１２を挿入し、この座板１１の止孔１３にねじ類Ｓを通して、キャスター１をキャスター取付板Ｂにねじ止めしたものとしている。なお、前記挿入部１２は、座板１１の一辺側の両角部の止孔１３を設ける領域を、略１／４円状Ｃに切り欠いて形成したものとするのが、止板２の挿入溝２１への挿入度合いや強度面等において好ましいものとなる。
【００２０】
前記キャスター１は、座板１１の下方に旋回自在として取付けられたキャスターフレーム１４に、車輪１５を車軸１６により回転自在に取り付けたものとしている。前記キャスターフレーム１４は、略倒Ｕ字状に形成され、上壁体１４ａの両側部から垂下させた両側壁体１４ｂの下部に車軸１６の軸孔（図示せず）を設けたものとしている。前記車輪１５は、中心部に車軸１６の貫通孔（図示せず）を設けたものとしている。なお、図示したものでは、前記キャスターフレーム１４は、座板１１の下方に、旋回自在として取付けられたものとしたが、旋回不能として取付けられたものとしてもよい。
【００２１】
そして、前記止板２には、挿入溝２１の両側に止孔２２を設けたものとし、この止孔２２にねじ類Ｓを通して、止板２をキャスター取付板Ｂにねじ止めすることにより止着したものとしている。また、前記止板２は、このようにキャスター取付板Ｂにねじ止めすることにより止着したものとはしないで、止孔２２にくぎ（図示せず）を打ち込んで、キャスター取付板Ｂにくぎ止めすることにより止着したものとしてもよい。さらに、前記止板２は、止孔２２を設けることなく、その他の手段によって、キャスター取付板Ｂに止着したものとしてもよい。なお、前記止板２の止孔２２の位置は、図２、４に示したように、前記キャスター１の座板１１の一辺側の両角部の止孔１３を設ける位置に対応するようにするのが、キャスター取付け時の安定性が良くなるなどの効果があり、好ましいものとなる。
【００２２】
前記止板２の挿入溝２１は、前記キャスター１の座板１１の厚さと略同一の溝深さを有するものとしており、図３に示したように、挿入口縁２１ａ形状を凹円弧形状にしており、外縁２１ｂ形状を前記座板１１の挿入部１２の外周形状と略同一形状にし、内縁２１ｂ形状を前記座板１１の略１／４円状Ｃに切り欠いた部分に沿う円弧形状にしたものとしている。このようにすると、前記キャスター１の座板１１の挿入部１２を、止板２の挿入溝２１に挿入し易くなると共に、挿入した後は挿入部１２が挿入溝２１に密接したものとなり、がたつかなくなる。
【００２３】
前記ねじ類Ｓには、ビスなどの通常のねじの他に、六角ボルト、蝶ボルト、スタッドボルトなどのボルト類を含むものとする。前記ねじ類Ｓを通常のねじにした場合には、そのネジをキャスター取付板Ｂに直接、ねじ込んで前記止板２をキャスター取付板Ｂに止着したものとするが、前記ねじ類Ｓをボルト類にした場合には、台車や移動家具等のキャスター１のキャスター取付板Ｂに、ボルト穴Ｈを予め設けておき、このボルト穴Ｈにボルトをねじ込んだり、ボルトの貫通孔（図示せず）を設けておき、この貫通孔（図示せず）にボルトを貫通させて、ナット（図示せず）で締め付けることにより、前記止板２をキャスター取付板Ｂに止着したものとする。なお、前記ねじ類Ｓを通常のねじにした場合も、ボルト類にした場合にも、これらねじ類Ｓが台車や移動家具等の使用中の振動等によって緩まないように、ねじ類Ｓと止板２との間にはワッシャ３１やＯ−リング３２を介在させたものとしている。
【００２４】
以上のように構成したこの考案のキャスターの取付構造によって、台車や移動家具等の底部にキャスターを取り付けたり、取り外したりするには、次のように操作して行う。
【００２５】
先ず、台車や移動家具等の底部にキャスターを取り付ける場合には、台車や移動家具等を持ち上げて、これらの底部のキャスター取付板Ｂに止着された止板２の挿入溝２１に、キャスター１の座板１１の挿入部１２を挿入する。このようにすると、キャスター１は、キャスター取付板Ｂから落下することなく、止板２に仮止めされた状態となるので、従来のようにキャスター１の座板１１の裏面に接着剤を塗ったり、両面接着テープを貼ったりしなくてもよいのはいうまでもなく、キャスターを片手で持つ必要もないものとなる。
【００２６】
次に、キャスター１の座板１１の止孔１３にねじ類Ｓを通して、キャスター１をキャスター取付板Ｂにねじ止めする。この場合、ねじ止めする個所は、座板１１の両端部の２個所となるので、その２個所にねじ類Ｓをねじ込めばよく、従来のようにキャスター１の座板１１の４個所の止孔１１にねじ類Ｓを通して、キャスター１をキャスター取付板Ｂにねじ止めしなくてもよくなる。
【００２７】
また、台車や移動家具等の底部からキャスターを取り外す場合には、台車や移動家具等を持ち上げて、キャスター取付板Ｂにねじ止めされたねじ類Ｓを緩めて外し、止板２の挿入溝２１からキャスター１の座板１１の挿入部１２を引き抜けばよく、この場合も、座板１１の２個所のねじ類Ｓを緩めるだけでよく、従来のように座板１１の４個所のねじ類Ｓを緩めなくてもよい。
【００２８】
したがって、この考案のキャスターの取付構造は、台車や移動家具等の底部のキャスター取付板Ｂに仮止めする場合に接着剤や両面接着テープを用いなくてもよくなり、またキャスターを片手で持つ必要もなくなり、さらに台車や移動家具等の底部から取り外す場合も、取り付ける場合も、２本のボルトやビス等のねじ類を緩めたり、ねじ込んだりするだけでよく、その操作が簡単で、手際よくできるものとなる。
【符号の説明】
【００２９】
１  キャスター
２  止板
１１  座板
１２  挿入部
１３  止孔
１４  キャスターフレーム
１４ａ  上壁体
２１  挿入溝
２１ａ  挿入口縁
２１ｂ  外縁
２１ｃ  内縁
２２  止孔
Ｂ  キャスター取付板
Ｃ  略１／４円状
Ｓ  ねじ類
【図１】
0003176008.tif 000003
【図２】
0003176008.tif 000004
【図３】
0003176008.tif 000005
【図４】
0003176008.tif 000006
【図５】
0003176008.tif 000007
【図６】
0003176008.tif 000008
【図７】
0003176008.tif 000009